(57)【要約】【課題】種々の装飾品や贈答品等の収納箱として、様々な平面的表示を位置を替えて異なる形態で選択表示でき、外観的に高級感があって装飾効果に優れ、表示の交換及び位置替えを簡単に行えるものを提供する。【解決手段】一側に開口して内部に物品を収納し得る箱本体１と、箱本体１に枢着された蓋体２と、透明カバー板３とからなり、蓋体２の内面側及び外面側に透明カバー板３を嵌合し得る凹陥部２１，２２を有する。凹陥部２１，２２及び透明カバー板３の相互に対向する複数箇所に、それぞれ対向する一方側を磁石として他方側を磁性金属体とする磁力吸着部４が設けられ、両凹陥部２１，２２の何れかの底面と、透明カバー板３との間に、表示シートＳを挟み込むようにしている。【選択図】図３
0003169721.tif 000002
【実用新案登録請求の範囲】
【請求項１】
一側に開口して内部に物品を収納し得る箱本体と、該箱本体に枢着された蓋体と、透明カバー板とからなり、
前記蓋体の内面側及び外面側に、前記透明カバー板を嵌合し得る凹陥部を有し、
前記凹陥部及び透明カバー板の相互に対向する複数箇所に、それぞれ対向する一方側を磁石として他方側を磁性金属体とする磁力吸着部が設けられ、
前記蓋体の内面側と外面側の何れかの凹陥部の底面と、該凹陥部に嵌合する透明カバー板との間に、表示シートを挟み込むように構成されてなる表示機能付き収納箱。
【請求項２】
前記蓋体の内面側と外面側の凹陥部間を貫通する透孔を備え、両凹陥部の一方側に嵌合した透明カバー板を他方側より該透孔を通して押し出すことにより、該透明カバー板を凹陥部から離脱させるように構成されてなる請求項１に記載の表示機能付き収納箱。
【請求項３】
前記箱本体が矩形の開口部を有し、前記蓋体が該開口部の周縁に対向する矩形の周枠部とその内側の天板部とで構成され、該天板部の内外面が前記内面側及び外面側の凹陥部の底面をなすと共に、該天板部及び前記透明カバー板の対向する四隅部に前記磁力吸着部が設けられてなる請求項１又は２に記載の表示機能付き収納箱。
【考案の詳細な説明】
【技術分野】
【０００１】
本考案は、内部に例えば飾り花を始めとする種々の装飾品や贈答品等の物品を収納すると共に、贈り相手へのメッセージ、収納品の説明、装飾図柄、絵、写真等を表示し得る収納箱に関する。
【背景技術】
【０００２】
従来より、装飾品や贈答品等の収納箱として、箱のままの状態で飾り棚や卓上等に置いて装飾効果が得られるように、箱本体や蓋の外面に様々な図柄や浮き出し模様を施したり、蓋を開いて起立させた形で収納品と蓋内面側の装飾とを併せて視認できるようにしたものが多々ある。しかるに、これらの収納箱では、収納品を換えることはできても、箱側の装飾機能に変化がないため、趣を大きく転換するような用い方を行えない。
【０００３】
一方、蓋体の内側に窓付きの額縁枠を設け、この額縁枠と蓋体の天板との間に装飾物を収容するようにした装飾箱（特許文献１）や、収納容器に被せる蓋体の外面側に、表示シートと窓部付きのマットを重ねて額縁状に固定するようにした展示箱（特許文献２）が提案されている。これら装飾箱や展示箱の場合、前記装飾物や表示シートを換えることで、異なった装飾効果を与えることが可能である。
【先行技術文献】
【特許文献】
【０００４】
【特許文献１】特開２００２−１０４４０２号公報
【特許文献２】特開２００５−３１３９９６号公報
【考案の概要】
【考案が解決しようとする課題】
【０００５】
しかしながら、前記提案の装飾箱や展示箱では、装飾物や表示シートの違いによって異なる装飾効果は得られるものの、その装飾部位が定まっているため、やはり趣を大きく転換するような用い方を行えない上、外観的に安っぽい印象が拭えず、また装飾物や表示シートを換えるのに手間がかかるという難点もあった。
【課題を解決するための手段】
【０００６】
本考案は、上述の事情に鑑みて、内部に種々の装飾品や贈答品等の物品を収納すると共に、様々な平面的表示を位置を替えて異なる形態で選択表示でき、しかも外観的に高級感があって装飾効果に優れる上、表示の交換及び位置替えを簡単に行える、表示機能付き収納箱を提供することを目的としている。
【０００７】
上記目的を達成するための手段を図面の参照符号を付して示せば、請求項１の考案に係る表示機能付き収納箱は、一側に開口して内部に物品を収納し得る箱本体１と、該箱本体１に枢着された蓋体２と、透明カバー板３とからなり、蓋体２の内面側及び外面側に、透明カバー板３を嵌合し得る凹陥部２１，２２を有し、凹陥部２１，２２及び透明カバー板３の相互に対向する複数箇所に、それぞれ対向する一方側を磁石として他方側を磁性金属体とする磁力吸着部４が設けられ、蓋体２の内面側と外面側の何れかの凹陥部２１，２２の底面と、該凹陥部２１，２２に嵌合する透明カバー板３との間に、表示シートＳを挟み込むように構成されてなる。
【０００８】
請求項２の考案は、上記請求項１の表示機能付き収納箱において、蓋体２の内面側と外面側の凹陥部２１，２２間を貫通する透孔５を備え、両凹陥部２１，２２の一方側に嵌合した透明カバー板３を他方側より該透孔５を通して押し出すことにより、該透明カバー板３を凹陥部２１，２２から離脱させるように構成されてなる。
【０００９】
請求項３の考案は、上記請求項１又は２の上記請求項１の表示機能付き収納箱において、箱本体１が矩形の開口部１１を有し、蓋体２が該開口部１１の周縁に対向する矩形の周枠部２ａとその内側の天板部２ｂとで構成され、該天板部２ｂの内外面が内面側及び外面側の凹陥部２１，２２の底面をなすと共に、該天板部２ｂ及び透明カバー板３の対向する四隅部に磁力吸着部４が設けられてなるものとしている。
【考案の効果】
【００１０】
次に、本考案の効果について、図面の参照符号を付して説明する。請求項１の考案に係る表示機能付き収納箱では、蓋体２の内面側の凹陥部２１と外面側の凹陥部２２の何れに対しても透明カバー板３を嵌合し得るから、凹陥部２１，２２のどちら側にでも、その底面と透明カバー板３との間に所望の表示シートＳを挟み込むことができる。また、透明カバー板３は凹陥部２１，２２に対して磁力吸着で容易に確実に固定できる。従って、この表示機能付き収納箱によれば、閉めた蓋板２の表面側に表示シートＳを表出させる形態と、開いて起立させた蓋板２の内面側に該表示シートＳを表出させる形態とを選択できると共に、いずれの形態においても表示シートＳの交換によって表示内容を変更でき、しかも表示形態の変換と表示シートＳの交換を極めて簡単に且つ迅速に行える。加えて、表示シートＳの全体が透明カバー板３に押さえられてピシッと定まった状態で見映えよく視認されるため、外観的に高級な印象で優れた装飾効果が得られる。
【００１１】
請求項２の考案によれば、蓋体２の内面側と外面側の凹陥部２１，２２間を貫通する透孔５を備えるから、両凹陥部２１，２２の一方側に嵌合した透明カバー板３を他方側より該透孔５に通して棒具や手指で押し出すことにより、該透明カバー板３を凹陥部２１，２２から簡単に離脱させることができる。
【００１２】
請求項３の考案によれば、蓋体２の矩形周枠部２ａに囲まれた天板部２ａが内外両側の凹陥部２１，２２の底面をなし、該天板部２ｂと透明カバー板３が四隅部で磁力吸着する形態であるから、該蓋体２は透明カバー板３の嵌装側と非嵌装側が共にすっきりした形で良好な外観体裁が得られる。
【図面の簡単な説明】
【００１３】
【図１】本考案の一実施形態に係る表示機能付き収納箱の展開斜視図である。
【図２】同収納箱の蓋体を示し、（ａ）は平面図、（ｂ）は（ａ）のｙ−ｙ線の断面矢視図である。
【図３】同収納箱における蓋体の内面側の凹陥部に透明カバー板を嵌装した状態を示す縦断側面図である。
【図４】同収納箱における蓋体の外面側の凹陥部に透明カバー板を嵌装した状態を示す縦断側面図である。
【図５】同蓋体の凹陥部から透明カバー板を取り外す操作を示す縦断側面図である。
【考案を実施するための形態】
【００１４】
以下に、本考案の一実施形態に係る表示機能付き収納箱について、図面を参照して具体的に説明する。
【００１５】
この表示機能付き収納箱は、図１に示すように、平面視矩形（図では正方形）で上方に開口部１１を有する箱本体１と、該箱本体１の開口部１１の縁にヒンジ６を介して開閉可能に枢着した蓋体２と、透明カバー板４とで構成されている。なお、ヒンジ６は開き角度が限定されるもので、蓋体２が図示の後傾起立姿勢よりも後方へ倒れるのを阻止する機能を持つ。また、箱本体１及び蓋体２は共に、木製で全面が塗装されている。Ｓは紙、合成樹脂フィルム、金属箔、これらの積層シート等からなる表示シートである。
【００１６】
蓋体２は、図２に示すように、矩形（図では正方形）で上下方向に幅広の周枠部２ａと、その内側の天板部２ｂとで構成され、内面側及び外面側に天板部２ｂの内外面を底面とする凹陥部２１，２２が形成されている。そして、天板部２ｂは、四隅部に磁力吸着部４が設けられると共に、箱本体１との枢着側に近い一か所に透孔５が形成されている。
【００１７】
透明カバー板３は、アクリル系樹脂の如き硬質合成樹脂板やガラス板からなり、蓋体２の凹陥部２１，２２に嵌合し得るように該凹陥部２１，２２より若干小さいサイズに形成されており、その四隅部には磁力吸着部４が設けてある。
【００１８】
透明カバー板３と蓋体２の天板部２ａの各４か所の磁力吸着部４，４同士は、該透明カバー板３を蓋体２の凹陥部２１，２２に嵌合した際に相互に対向するように位置設定されており、互に磁力吸着できるように、その対向する一方側を磁石、他方側を鉄の如き磁性金属体にて構成している。そして、各磁力吸着部４の磁石及び磁性金属体は、短円筒形をなし、透明カバー板３及び天板部２ａに設けた孔に嵌入固着されている。
【００１９】
なお、蓋体２の周枠部２ａにおける遊端側の内面中央部と、箱本体１における非枢着側の開口縁中央部にも、相互に磁力吸着し得るように一方側を磁石、他方側を磁性金属体とする磁力吸着部７が設けてある。
【００２０】
上記構成の表示機能付き収納箱では、箱本体１内に例えば飾り花を始めとする種々の装飾品や贈答品等の物品を収納すると共に、蓋体２の内面側の凹陥部２１と外面側の凹陥部２２の何れか一方の底面に表示シートＳを配置し、その上から透明カバー板３を嵌合すれば、該透明カバー板３が表示シートＳを挟んだ状態で磁力吸着によって天板部２ｂに確実に固定される。
【００２１】
すなわち、蓋体２の内面側の凹陥部２１に表示シートＳを配して透明カバー板３を嵌合した場合は、図３に示すように、該蓋体２を開いて後傾起立姿勢にすることにより、箱本体１内の収納品と併せて該表示シートＳによる表示が視認可能となる。また、蓋体２の外面側の凹陥部２２に表示シートＳを配して透明カバー板３を嵌合した場合は、図４に示すように、該蓋体２を閉めた状態で該表示シートＳによる表示が視認可能となる。
【００２２】
この表示シートＳによる表示は、例えば収納物品が贈答品であるときの贈り相手へのメッセージ、収納品の説明、装飾図柄、絵、写真等、多種多様である。
【００２３】
一方、蓋体２の凹陥部２１，２２に磁力吸着で嵌装した透明カバー板３を取り外すには、例えば該透明カバー板３が内面側の凹陥部２１に嵌装されている場合、図５に示すように、適当な棒具８を外面側から天板部２ａの透孔５に挿入し、該棒具８の先端で透明カバー板３を押し出すようにすればよい。これによって、透明カバー板３の透孔５側つまり下部側が天板部２ａから離れるが、反対側つまり上部側は磁力吸着しているから、図示の状態で該透明カバー板３を把持して引き離すことで、落下の懸念なく容易に取り外すことができる。なお、透明カバー板３が外面側の凹陥部２２に嵌装されておれば、棒具８を内面側から透孔５に挿入して押し出すことは言うまでもない。また、透孔５が手指の通る径であれば、棒具８を用いる代わりに、該透孔５に手指を差し込んで透明カバー板３を押し出すことも可能となる。
【００２４】
上述のように、この表示機能付き収納箱によれば、閉めた蓋板２の表面側に表示シートＳを表出させる形態と、開いて起立させた蓋板２の内面側に該表示シートＳを表出させる形態とを選択できると共に、いずれの形態においても表示シートＳの交換によって表示内容を任意に変更でき、しかも透明カバー板３を着脱するだけで表示形態の変換と表示シートＳの交換を極めて簡単に且つ迅速に行える。また、表示シートＳの全体が透明カバー板３に押さえられてピシッと定まった状態で見映えよく視認されるため、外観的に高級な印象が得られ、優れた装飾効果を発揮できる。
【００２５】
本考案の表示機能付き収納箱における箱本体１及び蓋体２の外形は、実施形態のような平面視矩形に限らず、平面視で三角形、五角形以上の多角形、円形、楕円形、直線部と曲線部を組み合わせた形等、様々に設定できる。蓋体２の内外両面側の凹陥部２１，２２の輪郭についても、例示した矩形以外の種々の形状を選択できると共に、例えば矩形の蓋体２に対して円形や楕円形にする等、蓋板２の平面外形と異なった形状に設定することも可能である。しかして、透明カバー板３は凹陥部２１，２２の輪郭に合わせた外形になるが、その外形とサイズに応じて磁力吸着部４の数と配置を設定すればよい。
【００２６】
また、本考案では、箱本体１の開口部１１に対して蓋体２を観音開き式の２枚にした形態や、箱本体１の主面の一部を開口部１１とし、それに対応する大きさの蓋体２を設けた形態も採用可能である。
【００２７】
なお、実施形態のように、矩形の開口部１１を有する箱本体１に対し、蓋体２を該開口部１１の周縁に対向する矩形の周枠部２ａとその内側の天板部２ｂとで形成し、該天板部２ｂの内外面を内面側及び外面側の凹陥部２１，２２の底面として、該天板部２ｂ及び透明カバー板３の対向する四隅部に磁力吸着部４を設けた構成とすれば、該蓋体２における透明カバー板３の嵌装側と非嵌装側が共にすっきりした形になり、良好な外観体裁が得られるという利点がある。
【００２８】
蓋体２の透孔５については、実施形態では該蓋体２が起立状態での下側に設けているが、逆に起立状態での上側に設けてもよい。ただし、該蓋体２と透明カバー板３との磁力吸着部分を押し出しによって切り離す上で、該透孔５は何れかの磁力吸着部４に近い位置に設定するのがよい。また、蓋体２側の磁力吸着部４を構成する磁石や磁性金属体については、凹陥部２１，２２の底面への塗装や化粧シートの貼着により、外部に露呈しない形にしてもよい。一方、蓋板２の凹陥部２１，２２を除く内外面や箱本体１の外周面には、必要とあらば様々な装飾模様を施すことができる。
【００２９】
更に、実施形態ではヒンジ６によって蓋体２が図１及び図３の如く後傾起立姿勢で保持されるようになっているが、この後傾起立姿勢に保持する手段として、箱本体１と蓋体２の一方又は両方に該後傾起立姿勢で相互に当接する突起部のような適当なストッパーを設けたり、該蓋体２の遊端側部と箱本体１の前端側部との間に開き角度を規制する布テープやステー等を取り付けてもよい。その他、本考案においては、箱本体１と蓋体２の材質、箱本体１と蓋体２との枢着構造、磁力吸着部４の磁石及び磁性金属体の形状等、細部構成については実施形態以外に種々設計変更可能である。
【符号の説明】
【００３０】
１          箱本体
１１        開口部
２          蓋体
２ａ        周枠部
２ｂ        天板部
２１，２２  凹陥部
３          透明カバー板
４          磁力吸着部
５          透孔
６          ヒンジ
Ｓ          表示シート
【図１】
0003169721.tif 000003
【図２】
0003169721.tif 000004
【図３】
0003169721.tif 000005
【図４】
0003169721.tif 000006
【図５】
0003169721.tif 000007